(57)【特許請求の範囲】
【請求項１】
温度及び湿度に関する情報を取得する取得部と、
前記取得部が取得した前記情報から求めた不快指数が、予め定められた不快指数の上限値を超える場合に空調機を動作させ、予め定められた不快指数の下限値を下回る場合に、前記空調機の動作を停止し又は前記空調機の出力を低下させる制御を行う制御部と、
を備え、
前記取得部は、
第１環境における温度及び湿度に関する第１情報と、第２環境における温度及び湿度に関する第２情報と、をそれぞれ取得し、
前記制御部は、
前記第１環境に対して予め定められた第１上限値及び第１下限値と前記第１情報から求めた第１不快指数とに基づき、第１空調機に対して前記制御を行い、前記第２環境に対して予め定められた第２上限値及び第２下限値と前記第２情報から求めた第２不快指数とに基づき、第２空調機に対して前記制御を行い、
前記第１上限値＜前記第２上限値且つ前記第１下限値≦前記第２下限値と、前記第１上限値≦前記第２上限値且つ前記第１下限値＜前記第２下限値と、の一方の条件を満たす
空調制御装置。
【請求項２】
前記第１上限値＜前記第２上限値、及び前記第１下限値＜前記第２下限値の両方を満たす
請求項１に記載の空調制御装置。
【請求項３】
温度及び湿度に関する情報を取得する取得部と、
前記取得部が取得した前記情報から求めた不快指数が、予め定められた不快指数の下限値を下回る場合に空調機を動作させ、予め定められた不快指数の上限値を超える場合に、前記空調機の動作を停止し又は前記空調機の出力を低下させる制御を行う制御部と、
を備え、
前記取得部は、
第１環境における温度及び湿度に関する第１情報と、第２環境における温度及び湿度に関する第２情報と、をそれぞれ取得し、
前記制御部は、
前記第１環境に対して予め定められた第１上限値及び第１下限値と前記第１情報から求めた第１不快指数とに基づき、第１空調機に対して前記制御を行い、前記第２環境に対して予め定められた第２上限値及び第２下限値と前記第２情報から求めた第２不快指数とに基づき、第２空調機に対して前記制御を行い、
前記第１上限値＞前記第２上限値且つ前記第１下限値≧前記第２下限値と、前記第１上限値≧前記第２上限値且つ前記第１下限値＞前記第２下限値と、の一方の条件を満たす
空調制御装置。
【請求項４】
前記第１上限値＞前記第２上限値、及び前記第１下限値＞前記第２下限値の両方を満たす
請求項３に記載の空調制御装置。
【請求項５】
前記取得部は、
建物内の第１エリアに配置された第１温湿度センサから前記第１情報を取得し、
前記建物内の第２エリアに配置された第２温湿度センサから前記第２情報を取得し、
前記制御部は、
前記第１上限値及び前記第１下限値と前記第１不快指数とに基づき、前記第１エリアに配置された第１空調機に対して前記制御を行い、前記第２上限値及び前記第２下限値と前記第２不快指数とに基づき、前記第２エリアに配置された第２空調機に対して前記制御を行う
請求項１〜４のいずれか１項に記載の空調制御装置。
【請求項６】
前記第２エリアは、前記第１エリアにおける人の滞在時間よりも、該滞在時間が短いエリアである
請求項５に記載の空調制御装置。
【請求項７】
前記制御部は、
前記第１空調機又は前記第２空調機と同様に、別の第３エリアに配置された第３空調機に対して前記制御を行う
請求項５又は６に記載の空調制御装置。
【請求項８】
前記制御部は、
前記第２空調機と同様に、前記第３空調機に対して前記制御を行う
請求項７に記載の空調制御装置。
【請求項９】
温度及び湿度を検知する温湿度センサと、
空気の温度及び湿度を調整する空調機と、
前記温湿度センサが検知した温度及び湿度の情報を取得し、前記空調機の動作を制御する請求項１〜８のいずれか１項に記載の空調制御装置と、
を備える
空調システム。
【請求項１０】
コンピュータを、請求項１〜８のいずれか１項に記載の各部として機能させるための空調制御プログラム。
【発明の詳細な説明】
【技術分野】
【０００１】
本発明は、空調制御装置、空調システム、及び空調制御プログラムに関する。
【背景技術】
【０００２】
空調システムとしては、不快指数に基づき空調機の動作を制御するものがある（例えば、特許文献１、２、３）。
【先行技術文献】
【特許文献】
【０００３】
【特許文献１】特開２０１７−００３２０５号公報
【特許文献２】特開２０１０−０６５８７４号公報
【特許文献３】国際公開第２０１８／００２９９０号
【発明の概要】
【発明が解決しようとする課題】
【０００４】
不快指数に基づき空調機の動作を制御する空調システムとしては、特許文献１に記載されるように、例えば、室内温度と室内湿度から不快指数Ｂを算定し、予め設定された不快指数Ａに対し不快指数Ｂが高いときに冷房温度を下げ、不快指数Ａに対して不快指数Ｂが低いときには冷房温度を上げる技術がある。
【０００５】
このように、不快指数Ｂが、予め定められた単一の閾値（不快指数Ａ）に近づくように、不快指数Ｂと該閾値とが一致する場合以外において空調機の出力を調整し続ける技術では、空調機の出力が高い状態で空調機の動作が継続される場合があるため、空調機の省エネルギー化が不十分であった。
【０００６】
本発明は、空調機の省エネルギー化を図ることができる空調制御装置、空調システム、及び空調制御プログラムを提供することを目的とする。
【課題を解決するための手段】
【０００７】
請求項１に係る空調制御装置は、温度及び湿度に関する情報を取得する取得部と、前記取得部が取得した前記情報から求めた不快指数が、予め定められた不快指数の上限値を超える場合に空調機を動作させ、予め定められた不快指数の下限値を下回る場合に、前記空調機の動作を停止し又は前記空調機の出力を低下させる制御を行う制御部と、を備える。
【０００８】
請求項１の構成によれば、取得部が取得した温度及び湿度に関する情報から求めた不快指数が、予め定められた不快指数の上限値を超える場合に空調機を動作させる。さらに、当該不快指数が、予め定められた不快指数の下限値を下回る場合に、空調機の動作を停止し、又は、空調機の出力を低下させる。
【０００９】
したがって、請求項１の構成では、取得部が取得した温度及び湿度に関する情報から求めた不快指数が、下限値を下回った後は、上限値を超えるまで空調機の動作を停止し、又は、空調機の出力を低下させる。
【００１０】
このため、取得部が取得した温度及び湿度の情報から求めた不快指数が、予め定められた単一の閾値に近づくように、該不快指数と該閾値とが一致する場合以外において空調機の出力を調整し続ける構成に比べ、空調機の動作時間又は出力を低減でき、空調機の省エネルギー化を図ることができる。
【００１１】
請求項１に係る空調制御装置では、前記取得部が、第１環境における温度及び湿度に関する第１情報と、第２環境における温度及び湿度に関する第２情報と、をそれぞれ取得し、前記制御部が、前記第１環境に対して予め定められた第１上限値及び第１下限値と前記第１情報から求めた第１不快指数とに基づき、第１空調機に対して前記制御を行い、前記第２環境に対して予め定められた第２上限値及び第２下限値と前記第２情報から求めた第２不快指数とに基づき、第２空調機に対して前記制御を行い、前記第１上限値＜前記第２上限値且つ前記第１下限値≦前記第２下限値と、前記第１上限値≦前記第２上限値且つ前記第１下限値＜前記第２下限値と、の一方の条件を満たす。
【００１２】
請求項１に係る空調制御装置によれば、第１環境における温度及び湿度に関する第１情報から求めた不快指数が、第１環境に対して予め定められた第１上限値を超える場合に第１空調機を動作させる。さらに、当該不快指数が、第１環境に対して予め定められた第１下限値を下回る場合に、第１空調機の動作を停止し、又は、空調機の出力を低下させる。
【００１３】
また、第２環境における温度及び湿度に関する第２情報から求めた不快指数が、第２環境に対して予め定められた第２上限値を超える場合に第２空調機を動作させる。さらに、当該不快指数が、第２環境に対して予め定められた第２下限値を下回る場合に、第２空調機の動作を停止し、又は、空調機の出力を低下させる。
【００１４】
このように、第２空調機に対しては、第２環境に対して予め定められた第２上限値及び第２下限値を用いて制御を行う。
【００１５】
そして、請求項１の構成では、第１上限値＜第２上限値且つ第１下限値≦第２下限値と、第１上限値≦第２上限値且つ第１下限値＜第２下限値と、の一方の条件を満たす。このため、請求項１の構成によれば、第１上限値及び第１下限値の両方を用いて、第２空調機の動作を制御する構成に比べ、第２空調機の動作時間又は出力を低減でき、空調機の省エネルギー化を図ることができる。
【００１６】
請求項２に係る空調制御装置は、請求項１に記載の空調制御装置において、前記第１上限値＜前記第２上限値、及び前記第１下限値＜前記第２下限値の両方を満たす。
【００１７】
請求項２の構成によれば、第１上限値＜第２上限値、及び第１下限値＜第２下限値の両方を満たすので、第１上限値及び第２下限値を用いて、又は、第２上限値及び第１下限値を用いて、第２空調機の動作を制御する構成に比べ、第２空調機の動作時間又は出力を低減でき、省エネルギー化を図ることができる。
【００１８】
請求項３に係る空調制御装置は、温度及び湿度に関する情報を取得する取得部と、前記取得部が取得した前記情報から求めた不快指数が、予め定められた不快指数の下限値を下回る場合に空調機を動作させ、予め定められた不快指数の上限値を超える場合に、前記空調機の動作を停止し又は前記空調機の出力を低下させる制御を行う制御部と、を備える。
【００１９】
請求項３の構成によれば、取得部が取得した温度及び湿度に関する情報から求めた不快指数が、予め定められた不快指数の下限値を下回る場合に空調機を動作させる。さらに、当該不快指数が、予め定められた不快指数の上限値を超える場合に、空調機の動作を停止し、又は、空調機の出力を低下させる。
【００２０】
したがって、請求項３の構成では、取得部が取得した温度及び湿度に関する情報から求めた不快指数が、上限値を超えた後は、下限値を下回るまで空調機の動作を停止し、又は、空調機の出力を低下させる。
【００２１】
このため、取得部が取得した温度及び湿度の情報から求めた不快指数が、予め定められた単一の閾値に近づくように、該不快指数と該閾値とが一致する場合以外において空調機の出力を調整し続ける構成に比べ、空調機の動作時間又は出力を低減でき、空調機の省エネルギー化を図ることができる。
【００２２】
請求項３に係る空調制御装置では、前記取得部は、第１環境における温度及び湿度に関する第１情報と、第２環境における温度及び湿度に関する第２情報と、をそれぞれ取得し、前記制御部は、前記第１環境に対して予め定められた第１上限値及び第１下限値と前記第１情報から求めた第１不快指数とに基づき、第１空調機に対して前記制御を行い、前記第２環境に対して予め定められた第２上限値及び第２下限値と前記第２情報から求めた第２不快指数とに基づき、第２空調機に対して前記制御を行い、前記第１上限値＞前記第２上限値且つ前記第１下限値≧前記第２下限値と、前記第１上限値≧前記第２上限値且つ前記第１下限値＞前記第２下限値と、の一方の条件を満たす。
【００２３】
請求項３に係る空調制御装置によれば、第１環境における温度及び湿度に関する第１情報から求めた不快指数が、第１環境に対して予め定められた第１下限値を下回る場合に第１空調機を動作させる。さらに、当該不快指数が、第１環境に対して予め定められた第１上限値を超える場合に、第１空調機の動作を停止し、又は、空調機の出力を低下させる。
【００２４】
また、第２環境における温度及び湿度に関する第２情報から求めた不快指数が、第２環境に対して予め定められた第２下限値を下回る場合に第２空調機を動作させる。さらに、当該不快指数が、第２環境に対して予め定められた第２上限値を超える場合に、第２空調機の動作を停止し、又は、空調機の出力を低下させる。
【００２５】
このように、第２空調機に対しては、第２環境に対して予め定められた第２上限値及び第２下限値を用いて制御を行う。
【００２６】
そして、請求項３の構成では、第１上限値＞第２上限値且つ第１下限値≧第２下限値と、第１上限値≧第２上限値且つ第１下限値＞第２下限値と、の一方の条件を満たす。このため、請求項３の構成によれば、第１上限値及び第１下限値の両方を用いて、第２空調機の動作を制御する構成に比べ、第２空調機の動作時間又は出力を低減でき、空調機の省エネルギー化を図ることができる。
【００２７】
請求項４に係る空調制御装置は、請求項３に記載の空調制御装置において、前記第１上限値＞前記第２上限値、及び前記第１下限値＞前記第２下限値の両方を満たす。
【００２８】
請求項４の構成によれば、第１上限値＞第２上限値、及び第１下限値＞第２下限値の両方を満たすので、第１上限値及び第２下限値を用いて、又は、第２上限値及び第１下限値を用いて、第２空調機の動作を制御する構成に比べ、第２空調機の動作時間又は出力を低減でき、省エネルギー化を図ることができる。
【００２９】
請求項５に係る空調制御装置は、請求項１〜４のいずれか１項に記載の空調制御装置において、前記取得部は、建物内の第１エリアに配置された第１温湿度センサから前記第１情報を取得し、前記建物内の第２エリアに配置された第２温湿度センサから前記第２情報を取得し、前記制御部は、前記第１上限値及び前記第１下限値と前記第１不快指数とに基づき、前記第１エリアに配置された第１空調機に対して前記制御を行い、前記第２上限値及び前記第２下限値と前記第２不快指数とに基づき、前記第２エリアに配置された第２空調機に対して前記制御を行う。
【００３０】
請求項５に係る空調制御装置によれば、建物内の第１エリアに配置された第１温湿度センサから取得した第１情報から求めた不快指数が、第１上限値を超える場合に第１空調機を動作させる。さらに、当該不快指数が、第１下限値を下回る場合に、第１空調機の動作を停止し、又は、空調機の出力を低下させる。
【００３１】
また、建物内の第２エリアに配置された第２温湿度センサから取得した第２情報から求めた不快指数が、第２上限値を超える場合に第２空調機を動作させる。さらに、当該不快指数が、第２下限値を下回る場合に、第２空調機の動作を停止し、又は、空調機の出力を低下させる。そして、第１上限値＜第２上限値、及び第１下限値＜第２下限値の少なくとも一方を満たす。
【００３２】
請求項５に係る空調制御装置では、上記の関係を有する第１上限値及び第１下限値に基づき、建物内の第１エリアに配置された第１空調機を制御するので、第１エリアでは、第２エリアに比べ、空調機の動作時間又は出力が増大し、快適な空間にすることができる。
【００３３】
一方、上記の関係を有する第２上限値及び第２下限値に基づき、建物内の第２エリアに配置された第２空調機を制御するので、第２エリアでは、第１エリアに比べ、空調機の動作時間又は出力を低減でき、省エネルギー化を図ることができる。
【００３４】
以上のように、請求項５の構成によれば、快適性を優先させたエリア（第１エリア）と、省エネルギー性を優先させたエリア（第２エリア）と、を建物内に作り出すことができる。
【００３５】
請求項６に係る空調制御装置は、請求項５に記載の空調制御装置において、前記第２エリアが、前記第１エリアにおける人の滞在時間よりも、該滞在時間が短いエリアである。
【００３６】
請求項６の構成によれば、第２エリアが、第１エリアにおける人の滞在時間よりも、該滞在時間が長いエリアである構成に比べ、第２エリアにおいて不快に感じることを抑制できる。
【００３７】
請求項７に係る空調制御装置は、請求項５又は６に記載の空調制御装置において、前記制御部が、前記第１空調機又は前記第２空調機と同様に、別の第３エリアに配置された第３空調機に対して前記制御を行う。
【００３８】
請求項７の構成によれば、温湿度センサの検出結果を用いて複数の空調機を同様に制御でき、空調機毎に温湿度センサを設ける構成に比べ、設備コストを低減できる。
【００３９】
請求項８に係る空調制御装置は、請求項７に記載の空調制御装置において、前記制御部が、前記第２空調機と同様に、前記第３空調機に対して前記制御を行う。
【００４０】
請求項８の構成によれば、第１空調機と同様に第３空調機に対して制御を行う構成に比べ、第３空調機の動作時間又は出力を低減でき、空調機の省エネルギー化を図ることができる。
【００４１】
請求項９に係る空調システムは、温度及び湿度を検知する温湿度センサと、空気の温度及び湿度を調整する空調機と、前記温湿度センサが検知した温度及び湿度の情報を取得し、前記空調機の動作を制御する請求項１〜８のいずれか１項に記載の空調制御装置と、を備える。
【００４２】
請求項９の構成によれば、温湿度センサが温度及び湿度を検知する。空調制御装置は、温湿度センサが検知した温度及び湿度の情報を取得し、空気の温度及び湿度を調整する空調機の動作を制御する。
【００４３】
そして、空調制御装置が、温湿度センサが検知した温度及び湿度の情報から求めた不快指数が、予め定められた不快指数の上限値を超える場合に空調機を動作させる。さらに、空調制御装置は、当該不快指数が、予め定められた不快指数の下限値を下回る場合に、空調機の動作を停止し、又は、空調機の出力を低下させる。
【００４４】
したがって、請求項９の構成では、取得した温度及び湿度の情報から求めた不快指数が、予め定められた不快指数の下限値を下回った後は、予め定められた不快指数の上限値を超えるまで、空調制御装置が空調機の動作を停止し、又は、空調機の出力を低下させる。
【００４５】
このため、空調制御装置が取得した温度及び湿度の情報から求めた不快指数が、予め定められた単一の閾値に近づくように、該不快指数と該閾値とが一致する場合以外において空調機の出力を調整し続ける構成に比べ、空調機の省エネルギー化を図ることができる。
【００４６】
請求項１０に係る空調制御プログラムは、コンピュータを、請求項１〜８のいずれか１項に記載の各部として機能させるための空調制御プログラムである。
【００４７】
請求項１０に係る空調制御プログラムによれば、上記請求項１と同様の作用効果を奏する。
【発明の効果】
【００４８】
本発明は、上記構成としたので、空調機の省エネルギー化を図ることができるという優れた効果を有する。
【図面の簡単な説明】
【００４９】
【図１】本実施形態に係る空調システムを示す概略図である。
【図２】本実施形態に係る建物の一部の間取りを示す平面図である。
【図３】本実施形態に係る空調機の概略構成を示す図である。
【図４】本実施形態に係る空調制御装置のハードウェア構成を示すブロック図である。
【図５】本実施形態に係る空調制御装置の機能構成の一例を示すブロック図である。
【図６】本実施形態に係る、温度及び湿度に対応した不快指数のテーブル情報を示す図である。
【図７】本実施形態に係る空調機の動作と不快指数との関係を示すグラフである。
【図８】本実施形態に係る空調システムで用いられる上限値及び下限値の例を示す図である。
【図９】本実施形態に係る空調制御装置が、居室に配置された空調機を制御する空調制御処理の流れを示すフローチャートである。
【図１０】本実施形態に係る空調制御装置が、廊下に配置された空調機を制御する空調制御処理の流れを示すフローチャートである。
【図１１】本実施形態に係る、居室に配置された空調機の動作と不快指数との関係を示したテーブル情報である。
【図１２】本実施形態に係る、廊下に配置された空調機の動作と不快指数との関係を示したテーブル情報である。
【図１３】本実施形態に係る空調機を暖房運転する場合の空調機の動作と不快指数との関係を示すグラフである。
【図１４】本実施形態に係る空調機を暖房運転する場合において、空調制御装置が、居室に配置された空調機を制御する空調制御処理の流れを示すフローチャートである。
【図１５】本実施形態に係る空調機を暖房運転する場合において、空調制御装置が、廊下に配置された空調機を制御する空調制御処理の流れを示すフローチャートである。
【発明を実施するための形態】
【００５０】
以下に、本発明に係る実施形態の一例を図面に基づき説明する。
【００５１】
（空調システム１０）
まず、本実施形態に係る空調システム１０を説明する。図１は、本実施形態に係る空調システム１０を示す概略図である。
【００５２】
図１に示される空調システム１０は、建物内の空気を調節する機能を有するシステムである。具体的には、空調システム１０は、建物内の温度及び湿度を調整するシステムである。さらに具体的には、空調システム１０は、図１に示されるように、温湿度センサ１１、１２と、空調機３１、３２、３３、３４と、空調制御装置５０と、を備えている。
【００５３】
以下、空調システム１０が適用された建物４０、及び空調システム１０の各部（温湿度センサ１１、１２、空調機３１、３２、３３、３４（以下、空調機３１〜３４という）、及び空調制御装置５０）の構成について説明する。
【００５４】
（建物４０）
図２は、本実施形態に係る建物４０の一部の間取りを示す平面図である。建物４０は、図２に示されるように、第１領域４１と、第２領域４２と、を有している。なお、第２領域４２は、第１領域４１と同様に構成されているので、同一の符号を付して説明を省略する。
【００５５】
第１領域４１は、居室６１と、廊下６２、６３、６４と、を有している。なお、建物４０は、図示しない各種の部屋を有している。居室６１は、第１環境の一例であり、廊下６２、６３、６４は、第２環境の一例である。また、居室６１は、第１エリアの一例であり、廊下６２は、第２エリアの一例であり、廊下６３、６４は、別の第３エリアの一例である。なお、廊下６３、６４を第２エリアの一例と把握してもよい。
【００５６】
居室６１は、居住、執務、作業、集会、娯楽その他これらに類する目的のために継続的に使用する室（部屋）をいう。廊下６２、６３、６４は、建物４０内の部屋と部屋をつなぐための通路である。廊下６２、６３、６４は、人が移動するための空間であるため、居室６１における人の滞在時間よりも、該滞在時間が短いエリアである。
【００５７】
居室６１は、具体的には、図２に示されるように、平面視にて、略長方形状とされた空間とされている。廊下６２、６３、６４も、居室６１と同様に、平面視にて、略長方形状とされた空間とされている。
【００５８】
居室６１の長手方向（図２のＹ方向）の一端部及び他端部の各々は、廊下６３の長手方向（図２のＸ方向）の一端部及び廊下６４の長手方向（図２のＸ方向）の一端部の各々に接続されている。
【００５９】
廊下６２の長手方向（図２のＹ方向）の一端部及び他端部の各々は、廊下６３の長手方向（図２のＸ方向）の他端部及び廊下６４の長手方向（図２のＸ方向）の他端部の各々に接続されている。
【００６０】
これにより、廊下６３は、居室６１の長手方向の一端部から廊下６２の長手方向の一端部へ向かって延びている。廊下６４は、廊下６３に沿って、居室６１の長手方向の他端部から廊下６２の長手方向の他端部へ向かって延びている。換言すれば、廊下６３と廊下６４は、略平行に配置されている。また、居室６１及び廊下６２についても、略平行に配置されているといえる。このように、居室６１及び廊下６２、６３、６４が配置されることで、第１領域４１は、全体として枠状に形成されている。なお、第１領域４１は、廊下６２、６３、６４の部分が、居室６１側で開口するコの字状（Ｕの字状）に形成されている。
【００６１】
また、第１領域４１では、居室６１と廊下６３、６４とが連通しており、居室６１と廊下６３、６４との間で空気が流通する。また、廊下６２と廊下６３、６４とは連通しており、廊下６２と廊下６３、６４との間で空気が流通する。
【００６２】
（温湿度センサ１１、１２）
図１に示される温湿度センサ１１、１２は、温度及び湿度を検知する検知センサである。温湿度センサ１１、１２は、図１に示されるように、無線通信を行う通信部としての通信アンテナ１１Ａ、１２Ａを有している。温湿度センサ１１、１２では、温度及び湿度を検知した検知結果が、通信アンテナ１１Ａ、１２Ａによって、空調制御装置５０へ送信される。
【００６３】
なお、温湿度センサ１１は、第１温湿度センサの一例であり、温湿度センサ１２は、第２温湿度センサの一例である。
【００６４】
温湿度センサ１１は、図２に示されるように、居室６１に配置されている。この温湿度センサ１１は、一例として、５０ｃｍ以上１５０ｃｍ以下までの高さの範囲に配置される。具体的には、温湿度センサ１１は、例えば、机の上などに設置される。
【００６５】
温湿度センサ１２は、図２に示されるように、廊下６２に配置されている。この温湿度センサ１２は、一例として、５０ｃｍ以上１５０ｃｍ以下までの高さの範囲に配置される。具体的には、温湿度センサ１２は、例えば、手すりなどに設置される。
【００６６】
（空調機３１〜３４）
図１に示される空調機３１〜３４は、空気の温度及び湿度を調整する機器である。空調機３２、３３、３４は、空調機３１と同様に構成されているので、同一の符号を付して説明を省略する。図３には、空調機３１の概略構成が示されている。
【００６７】
図３に示されるように、空調機３１は、室外機７６と、複数の室内機７７と、循環路７８と、を有している。循環路７８は、室外機７６と複数の室内機７７との間で、熱媒体を循環させる。室内機７７は、建物４０（居室６１）内の空気を取り込み、該空気と熱媒体との間で熱交換することで該空気を冷却又は加熱し、該空気を建物４０（居室６１）内へ放出する。すなわち、空調機３１は、建物４０（居室６１）内の冷暖房が可能となっている。
【００６８】
空調機３１は、第１エリアに配置された第１空調機の一例であり、空調機３２は、第２エリアに配置された第２空調機の一例であり、空調機３３、３４は、別の第３エリアに配置された第３空調機の一例である。なお、空調機３３、３４を第２空調機の一例と把握してもよい。
【００６９】
（空調制御装置５０）
図１に示される空調制御装置５０は、空調機３１〜３４の動作を制御する装置である。具体的には、空調制御装置５０は、温湿度センサ１１、１２が検知した温度及び湿度の情報を取得し、空調機３１〜３４の動作を制御する。
【００７０】
図４には、空調制御装置５０のハードウェア構成を示すブロック図が示されている。空調制御装置５０は、コンピュータとしての機能を備え、図４に示されるように、ＣＰＵ（Ｃｅｎｔｒａｌ  Ｐｒｏｃｅｓｓｉｎｇ  Ｕｎｉｔ：プロセッサ）５１、ＲＯＭ（Ｒｅａｄ  Ｏｎｌｙ  Ｍｅｍｏｒｙ）５２、ＲＡＭ（Ｒａｎｄｏｍ  Ａｃｃｅｓｓ  Ｍｅｍｏｒｙ）５３、ストレージ５４、通信インターフェース５５、入力部５６及び表示部５７を有している。空調制御装置５０の各部は、バス５９を介して相互に通信可能に接続されている。
【００７１】
ＣＰＵ５１は、中央演算処理ユニットであり、空調制御プログラムを含む各種プログラムを実行したり、各部を制御したりする。すなわち、ＣＰＵ５１は、ＲＯＭ５２又はストレージ５４からプログラムを読み出し、ＲＡＭ５３を作業領域としてプログラムを実行する。
【００７２】
ＲＯＭ５２は、各種プログラムおよび各種データを格納する。ＲＡＭ５３は、作業領域として一時的にプログラム又はデータを記憶する。ストレージ５４は、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）等の記憶部により構成され、オペレーティングシステムを含む各種プログラム、および各種データを格納する。
【００７３】
通信インターフェース５５は、空調機３１〜３４及び温湿度センサ１１、１２等の他の機器と通信するためのインターフェースである。通信インターフェース５５は、一例として、無線通信により他の機器と通信する。
【００７４】
入力部５６は、例えば、マウス等のポインティングデバイス、及びキーボードを含み、各種の入力を行うために使用される。表示部５７は、例えば、液晶ディスプレイであり、各種の情報を表示する。なお、表示部５７として、タッチパネル方式のディスプレイを採用してもよい。この場合では、ディスプレイを入力部５６として機能させても良い。
【００７５】
上記のプログラムを実行する際に、空調制御装置５０は、上記のハードウェア資源を用いて、各種の機能を実現する。空調制御装置５０が実現する機能構成について説明する。図５は、空調制御装置５０の機能構成の一例を示すブロック図である。
【００７６】
図５に示されるように、空調制御装置５０は、機能構成として、取得部７２と、割出部７３と、制御部７４と、を有している。各機能構成は、ＣＰＵ５１がＲＯＭ５２又はストレージ５４に記憶された空調制御プログラムを読み出し、実行することにより実現される。
【００７７】
取得部７２は、温度及び湿度に関する情報（以下、温湿度情報という）を取得する。具体的には、取得部７２は、建物４０内の居室６１に配置された温湿度センサ１１から第１温湿度情報を取得し、建物４０内の廊下６２に配置された温湿度センサ１２から第２温湿度情報を取得する。なお、取得部７２は、通信インターフェース５５を介して、温湿度センサ１１、１２から各温湿度情報を取得する。
【００７８】
ここで、第１温湿度情報は、第１情報の一例であり、第２温湿度情報は、第２情報の一例である。また、建物４０内の居室６１は、第１環境の一例であり、建物４０内の廊下６２は、第２環境の一例である。
【００７９】
割出部７３は、取得部７２が取得した温湿度情報から不快指数を割り出す。換言すれば、割出部７３は、取得部７２が取得した温湿度情報から不快指数を求める。具体的には、本実施形態では、以下の数式Ａにより、温湿度情報から不快指数を算出する。
【００８０】
［数式Ａ］  ＤＩ＝０．８１Ｔ＋０．０１Ｈ×（０．９９Ｔ−１４．３）＋４６．３
ただし、ＤＩ：不快指数、Ｔ：気温（℃）、Ｈ：湿度（％）である。
【００８１】
なお、割出部７３は、テーブル情報（図６参照）を用いて、不快指数を割り出してもよい。具体的には、例えば、温度及び湿度に対応した不快指数のテーブル情報（図６参照）が、予めＲＯＭ５２又はストレージ５４に記憶されており、割出部７３が当該テーブル情報を参照して、不快指数を割り出してもよい。なお、図６に示されるテーブル情報は、一例であり、図６は、テーブル情報の一部を示すものである。
【００８２】
制御部７４は、取得部７２が取得した温湿度情報から割り出された不快指数が、予め定められた不快指数の上限値を超える場合に空調機３１〜３４を動作（稼動）させ、予め定められた不快指数の下限値を下回る場合に空調機３１〜３４の動作を停止する空調制御を行う（図７参照）。具体的には、制御部７４は、居室６１に対して予め定められた第１上限値及び第１下限値と、第１温湿度情報から求めた第１不快指数とに基づき、居室６１に配置された空調機３１に対して空調制御を行う。また、制御部７４は、廊下６２に対して予め定められた第２上限値及び第２下限値と、第２温湿度情報から求めた第２不快指数とに基づき、廊下６２に配置された空調機３２に対して空調制御を行う。さらに制御部７４は、空調機３２と同様に、第２上限値及び第２下限値と、第２温湿度情報から求めた第２不快指数とに基づき、空調機３３、３４に対して空調制御を行う。
【００８３】
本実施形態では、第１上限値、第１下限値、第２上限値及び第２下限値は、以下の関係を有している。すなわち、第１上限値＜第２上限値、及び第１下限値＜第２下限値の両方を満たしている。図８に示されるように、一例として、第１上限値が７２．５とされ、第１下限値が７０．５とされ、第２上限値が７４．０とされ、第２下限値が７２．０とされる。
【００８４】
本実施形態では、さらに具体的には、制御部７４は、空調機３１〜３４の室外機７６が有する接点を通じて、空調機３１〜３４に対してオンオフ制御を行う。
【００８５】
（本実施形態に係る作用）
次に、本実施形態の作用について説明する。図９及び図１０は、空調制御装置５０によって実行される空調制御処理の流れを示すフローチャートである。なお、図９及び図１０に示されるフローチャートは、空調システム１０において冷房運転する場合の空調制御処理の流れを示すものである。
【００８６】
本制御処理は、ＣＰＵ５１がＲＯＭ５２又はストレージ５４から空調制御プログラムを読み出して実行することにより行なわれる。本実施形態では、一例として、空調機３１〜３４が冷房運転されている稼動状態において、空調制御（省エネ制御）の指示を取得した場合に、本制御処理が行われる。なお、本実施形態では、空調制御装置５０は、空調機３１の動作と、空調機３２、３３、３４の動作との各々を制御する。
【００８７】
まず、空調制御装置５０が空調機３１に対して空調制御を行う制御処理について説明する。図９に示されるように、本制御処理が開始されると、ＣＰＵ５１は、まず、建物４０内の居室６１に配置された温湿度センサ１１から温度及び湿度に関する第１温湿度情報を取得する（ステップＳ１０２）。
【００８８】
次に、ＣＰＵ５１は、ステップＳ１０２にて取得した第１温湿度情報から第１不快指数を求める（ステップＳ１０４）。具体的には、ＣＰＵ５１は、前述の数式Ａを用いて、第１温湿度情報から当該情報の温度及び湿度に対応する第１不快指数を算出する。
【００８９】
次に、ＣＰＵ５１は、ステップＳ１０４にて求めた第１不快指数が、第１下限値を下回るか否かを判断する（ステップＳ１０６）。ＣＰＵ５１は、ステップＳ１０６にて、第１不快指数が、第１下限値を下回ると判断した場合（ステップＳ１０６：ＹＥＳ）に、ステップＳ１０８に移行する。一方、ＣＰＵ５１は、ステップＳ１０６にて、第１不快指数が、第１下限値以上であると判断した場合（ステップＳ１０６：ＮＯ）には、ステップＳ１２０に移行する。
【００９０】
なお、第１下限値と第２下限値とは、第１下限値＜第２下限値の関係を有している。第１下限値は、一例として、７０．５とされる。
【００９１】
ステップＳ１０８では、ＣＰＵ５１は、空調機３１へ停止信号を出力し、空調機３１の動作（冷房運転）を停止させる。
【００９２】
次に、ＣＰＵ５１は、本空調制御の指示が継続しているか否かを判断する（ステップＳ１１０）。ＣＰＵ５１は、本空調制御の指示が解除されていると判断した場合（ステップＳ１１０：ＮＯ）は、ステップＳ１２２にて、空調機３１へ停止信号を出力することで空調機３１の動作（冷房運転）を停止させて、本制御処理を終了する。
【００９３】
一方、ＣＰＵ５１は、本空調制御の指示が継続していると判断した場合（ステップＳ１１０：ＹＥＳ）は、温湿度センサ１１から温度及び湿度に関する第１温湿度情報を取得する（ステップＳ１１２）。
【００９４】
次に、ＣＰＵ５１は、ステップＳ１１２にて取得した第１温湿度情報から第１不快指数を求める（ステップＳ１１４）。具体的には、ＣＰＵ５１は、前述の数式Ａを用いて、第１温湿度情報から当該情報の温度及び湿度に対応する第１不快指数を算出する。
【００９５】
次に、ＣＰＵ５１は、ステップＳ１１４にて求めた第１不快指数が、第１上限値を超えるか否かを判断する（ステップＳ１１６）。ＣＰＵ５１は、ステップＳ１１６にて、第１不快指数が、第１上限値を超えると判断した場合（ステップＳ１１６：ＹＥＳ）に、ステップＳ１１８に移行する。一方、ＣＰＵ５１は、ステップＳ１１６にて、第１不快指数が、第１上限値以下であると判断した場合（ステップＳ１１６：ＮＯ）には、ステップＳ１１０に戻る。
【００９６】
なお、第１上限値と第２上限値とは、第１上限値＜第２上限値の関係を有している。第１上限値は、一例として、７２．５とされる。
【００９７】
ステップＳ１１８では、ＣＰＵ５１は、空調機３１への停止信号の出力を解除し、空調機３１を動作させる（冷房運転）。
【００９８】
次に、ＣＰＵ５１は、本空調制御の指示が解除されているか否かを判断する（ステップＳ１２０）。ＣＰＵ５１は、本空調制御の指示が解除されていると判断した場合（ステップＳ１２０：ＹＥＳ）は、本制御処理を終了する。一方、ＣＰＵ５１は、本空調制御の指示が継続していると判断した場合（ステップＳ１２０：ＮＯ）は、ステップＳ１０２に戻る。
【００９９】
空調制御装置５０が空調機３２、３３、３４の動作を制御する制御処理（図１０参照）は、空調機３１の動作を制御する制御処理（図９参照）と同様である。なお、図１０では、空調機３１の動作を制御する制御処理と同様のステップにおいて、同一符号を付している。空調機３２、３３、３４の動作を制御する制御処理では、図１０に示されるように、ＣＰＵ５１は、ステップＳ１０２及びステップＳ１１２において、第１温湿度情報に代えて、第２温湿度情報を取得する。ＣＰＵ５１は、ステップＳ１０４及びステップＳ１１４において、第１不快指数に代えて、第２不快指数を求める。ＣＰＵ５１は、ステップＳ１０６において、第１下限値に代えて第２下限値を用い、ステップＳ１１６において、第１上限値に代えて第２上限値を用いる。第１上限値と第２上限値とは、第１上限値＜第２上限値の関係を有している。第２上限値は、一例として、７４とされる。また、第１下限値と第２下限値とは、第１下限値＜第２下限値の関係を有している。第２下限値は、一例として、７２とされる。
【０１００】
以上のように、本実施形態では、図７に示されるように、第１温湿度情報から求めた第１不快指数が、第１上限値（７２．５）を超える場合に、空調機３１を動作（稼動）させ、第１下限値（７０．５）を下回る場合に空調機３１の動作を停止させる。換言すれば、図１１に示されるテーブルにおいて、第１不快指数が、網掛け部分Ａ１に含まれる不快指数である場合に空調機３１を動作させ、第１不快指数が、網掛け部分Ｂ１に含まれる不快指数である場合には、空調機３１の動作を停止させる。
【０１０１】
また、本実施形態では、図７に示されるように、第２温湿度情報から求めた第２不快指数が、第２上限値（７４．０）を超える場合に、空調機３２、３３、３４を動作（稼動）させ、第２下限値（７２．０）を下回る場合に空調機３２、３３、３４の動作を停止させる。換言すれば、図１２に示されるテーブルにおいて、第２不快指数が、網掛け部分Ａ１に含まれる不快指数である場合に空調機３２、３３、３４を動作させ、第２不快指数が、網掛け部分Ｂ１に含まれる不快指数である場合には、空調機３２、３３、３４の動作を停止させる。
【０１０２】
したがって、本実施形態では、第１温湿度情報から求めた第１不快指数が、第１下限値を下回った後は、第１上限値を超えるまでの期間（図７のＴ１参照）、空調機３１の動作を停止させる（図９のステップＳ１０６、Ｓ１０８、Ｓ１１６、Ｓ１１８参照）。同様に、第２温湿度情報から求めた第２不快指数が、第２下限値を下回った後は、第２上限値を超えるまでの期間（図７のＴ１参照）、空調機３２、３３、３４の動作を停止させる（図１０のステップＳ１０６、Ｓ１０８、Ｓ１１６、Ｓ１１８参照）。
【０１０３】
このため、第１不快指数及び第２不快指数が、予め定められた単一の閾値に近づくように、第１不快指数及び第２不快指数が単一の閾値と一致する場合以外において空調機３１〜３４の出力を調整し続ける構成に比べ、空調機３１〜３４の動作時間をそれぞれ低減でき、空調機３１〜３４のそれぞれについて省エネルギー化を図ることができる。
【０１０４】
また、本実施形態では、前述のように、第１上限値よりも高い第２上限値、及び、第１下限値よりも高い第２下限値を用いて、空調機３２、３３、３４の動作を制御する。このため、空調機３２、３３、３４を含む空調機３１〜３４において、第１上限値及び第１下限値を用いて動作を制御する構成に比べ、空調機３２、３３、３４の動作時間を低減でき、省エネルギー化を図ることができる。
【０１０５】
また、本実施形態では、第２上限値よりも低い第１上限値、及び、第２下限値よりも低い第１下限値を用いて、居室６１に配置された空調機３１を制御するので、居室６１では、廊下６２、６３、６４に比べ、空調機の運転時間が長くなり、快適な空間にすることができる。
【０１０６】
一方、第１上限値よりも高い第２上限値、及び、第１下限値よりも高い第２下限値を用いて、廊下６２、６３、６４に配置された空調機３２、３３、３４を制御するので、廊下６２、６３、６４では、居室６１に比べ、空調機の運転時間が低減され、省エネルギー化を図ることができる。
【０１０７】
以上のように、本実施形態によれば、快適性を優先させたエリア（居室６１）と、省エネルギー性を優先させたエリア（廊下６２、６３、６４）と、を建物内に作り出すことができる。
【０１０８】
そして、廊下６２、６３、６４は、居室６１における人の滞在時間よりも、該滞在時間が短いエリアである。廊下６２、６３、６４を、省エネルギー性を優先させたエリアとしても、廊下６２、６３、６４において不快に感じることを抑制できる。
【０１０９】
また、本実施形態では、前述のように、温湿度センサ１２が配置された廊下６２とは、別の廊下６３、６４に配置された空調機３３、３４を、空調機３２と同様に制御する。すなわち、本実施形態では、温湿度センサ１２の検出結果を用いて複数の空調機を同様に制御する。このため、空調機毎に温湿度センサを設ける構成に比べ、設備コストを低減できる。
【０１１０】
（変形例）
本実施形態では、温湿度情報から求めた不快指数が下限値を下回る場合に、空調機３１〜３４の動作を停止していたが（ステップＳ１０６参照）、これに限られない。例えば、温湿度情報から求めた不快指数が下限値を下回る場合に、空調機３１〜３４の出力を低下させる構成であってもよい。
【０１１１】
この構成においても、温湿度情報から求めた不快指数が、予め定められた単一の閾値に近づくように、該不快指数が単一の閾値と一致する場合以外において空調機３１〜３４の出力を調整し続ける構成に比べ、空調機３１〜３４の出力を低減でき、空調機３１〜３４の省エネルギー化を図ることができる。
【０１１２】
また、本実施形態では、第１上限値＜第２上限値、及び第１下限値＜第２下限値の両方を満たしていたが、これに限られない。例えば、第１上限値＜第２上限値且つ第１下限値≦第２下限値と、第１上限値≦第２上限値且つ第１下限値＜第２下限値と、の一方の条件を満たす構成であってもよい。
【０１１３】
この構成においても、第１上限値及び第１下限値の両方を用いて、空調機３２、３３、３４の動作を制御する構成に比べ、空調機３２、３３、３４の動作時間を低減でき、空調機３２、３３、３４の省エネルギー化を図ることができる。以上のように、本実施形態では、第１上限値＜第２上限値且つ第１下限値≦第２下限値と、第１上限値≦第２上限値且つ第１下限値＜第２下限値と、の一方の条件を満たしていればよい。
【０１１４】
また、本実施形態では、空調機３３、３４は、空調機３２と同様に制御されていたが、これに限られない。空調機３３、３４を、空調機３１と同様に制御する構成であってもよい。
【０１１５】
また、本実施形態では、複数の空調機３１〜３４を同時に制御する場合について説明したが、これに限られない。１つの空調機、例えば、空調機３１だけが単独で制御される場合についても、本発明が適用できる。
【０１１６】
また、本実施形態では、空調システム１０において冷房運転を行う場合に、前述の空調制御処理を適用していたが、これに限られない。例えば、空調システム１０において除湿運転を行う場合に、前述の空調制御処理を適用してもよい。
【０１１７】
（空調機３１〜３４の暖房運転における空調制御）
前述では、空調機３１〜３４の冷房運転における空調制御を説明したが、これに限らず、空調機３１〜３４の暖房運転における空調制御においても同様に実行することができる。以下に、空調機３１〜３４の暖房運転における空調制御に説明する。
【０１１８】
本空調制御では、制御部７４は、取得部７２が取得した温湿度情報から割り出された不快指数が、予め定められた不快指数の下限値を下回る場合に空調機３１〜３４を動作（稼動）させ、予め定められた不快指数の上限値を超える場合に空調機３１〜３４の動作を停止する空調制御を行う（図１３参照）。具体的には、制御部７４は、居室６１に対して予め定められた第１上限値及び第１下限値と、第１温湿度情報から求めた第１不快指数とに基づき、居室６１に配置された空調機３１に対して空調制御を行う。また、制御部７４は、廊下６２に対して予め定められた第２上限値及び第２下限値と、第２温湿度情報から求めた第２不快指数とに基づき、廊下６２に配置された空調機３２に対して空調制御を行う。さらに制御部７４は、空調機３２と同様に、第２上限値及び第２下限値と、第２温湿度情報から求めた第２不快指数とに基づき、空調機３３、３４に対して空調制御を行う。
【０１１９】
本実施形態では、第１上限値、第１下限値、第２上限値及び第２下限値は、以下の関係を有している。すなわち、第１上限値＞第２上限値、及び第１下限値＞第２下限値の両方を満たしている。
【０１２０】
次に、本空調制御における作用について説明する。図１４及び図１５は、空調システム１０において暖房運転する場合の空調制御処理の流れを示すフローチャートである。
【０１２１】
本制御処理は、ＣＰＵ５１がＲＯＭ５２又はストレージ５４から空調制御プログラムを読み出して実行することにより行なわれる。本実施形態では、一例として、空調システム１０の暖房運転の稼働状態において、空調制御の指示を取得した場合に、本制御処理が行われる。なお、本実施形態では、空調制御装置５０は、空調機３１の動作と、空調機３２、３３、３４の動作との各々を制御する。
【０１２２】
まず、空調制御装置５０が空調機３１に対して空調制御を行う制御処理について説明する。図１４に示されるように、本制御処理が開始されると、ＣＰＵ５１は、まず、建物４０内の居室６１に配置された温湿度センサ１１から温度及び湿度に関する第１温湿度情報を取得する（ステップＳ２０２）。
【０１２３】
次に、ＣＰＵ５１は、ステップＳ２０２にて取得した第１温湿度情報から第１不快指数を求める（ステップＳ２０４）。具体的には、ＣＰＵ５１は、前述の数式Ａを用いて、第１温湿度情報から当該情報の温度及び湿度に対応する第１不快指数を算出する。
【０１２４】
次に、ＣＰＵ５１は、ステップＳ２０４にて求めた第１不快指数が、第１上限値を超えるか否かを判断する（ステップＳ２０６）。ＣＰＵ５１は、ステップＳ２０６にて、第１不快指数が、第１上限値を超えると判断した場合（ステップＳ２０６：ＹＥＳ）に、ステップＳ２０８に移行する。一方、ＣＰＵ５１は、ステップＳ２０６にて、第１不快指数が、第１上限値以下であると判断した場合（ステップＳ２０６：ＮＯ）には、ステップＳ２２０に移行する。
【０１２５】
ステップＳ２０８では、ＣＰＵ５１は、空調機３１へ停止信号を出力し、空調機３１の動作（暖房運転）を停止させる。
【０１２６】
次に、ＣＰＵ５１は、本空調制御の指示が継続しているか否かを判断する（ステップＳ２１０）。ＣＰＵ５１は、本空調制御の指示が解除されていると判断した場合（ステップＳ２１０：ＮＯ）は、ステップＳ２２２にて、空調機３１へ停止信号を出力することで空調機３１の動作（暖房運転）を停止させて、本制御処理を終了する。
【０１２７】
一方、ＣＰＵ５１は、本空調制御の指示が継続していると判断した場合（ステップＳ２１０：ＹＥＳ）は、温湿度センサ１１から温度及び湿度に関する第１温湿度情報を取得する（ステップＳ２１２）。
【０１２８】
次に、ＣＰＵ５１は、ステップＳ２１２にて取得した第１温湿度情報から第１不快指数を求める（ステップＳ２１４）。具体的には、ＣＰＵ５１は、前述の数式Ａを用いて、第１温湿度情報から当該情報の温度及び湿度に対応する第１不快指数を算出する。
【０１２９】
次に、ＣＰＵ５１は、ステップＳ２１４にて求めた第１不快指数が、第１下限値を下回るか否かを判断する（ステップＳ２１６）。ＣＰＵ５１は、ステップＳ２１６にて、第１不快指数が、第１下限値を下回ると判断した場合（ステップＳ２１６：ＹＥＳ）に、ステップＳ２１８に移行する。一方、ＣＰＵ５１は、ステップＳ２１６にて、第１不快指数が、第１下限値以上であると判断した場合（ステップＳ２１６：ＮＯ）には、ステップＳ２１０に戻る。
【０１３０】
ステップＳ２１８では、空調機３１への停止信号の出力を解除し、空調機３１を動作させる（暖房運転）。
【０１３１】
次に、ＣＰＵ５１は、本空調制御の指示が解除されているか否かを判断する（ステップＳ２２０）。ＣＰＵ５１は、本空調制御の指示が解除されていると判断した場合（ステップＳ２２０：ＹＥＳ）は、本制御処理を終了する。一方、ＣＰＵ５１は、本空調制御の指示が継続していると判断した場合（ステップＳ２２０：ＮＯ）は、ステップＳ２０２に戻る。
【０１３２】
空調制御装置５０が空調機３２、３３、３４の動作を制御する制御処理（図１５参照）は、空調機３１の動作を制御する制御処理（図１４参照）と同様である。なお、図１５では、空調機３１の動作を制御する制御処理と同様のステップにおいて、同一符号を付している。空調機３２、３３、３４の動作を制御する制御処理では、図１５に示されるように、ＣＰＵ５１は、ステップＳ２０２及びステップＳ２１２において、第１温湿度情報に代えて、第２温湿度情報を取得する。ＣＰＵ５１は、ステップＳ２０４及びステップＳ２１４において、第１不快指数に代えて、第２不快指数を求める。ＣＰＵ５１は、ステップＳ２０６において、第１下限値に代えて第２下限値を用い、ステップＳ２１６において、第１上限値に代えて第２上限値を用いる。第１上限値と第２上限値とは、第１上限値＞第２上限値の関係を有している。また、第１下限値と第２下限値とは、第１下限値＞第２下限値の関係を有している。
【０１３３】
以上のように、本実施形態では、図１３に示されるように、第１温湿度情報から求めた第１不快指数が、第１下限値を下回る場合に、空調機３１を動作（稼動）させ、第１上限値を超える場合に空調機３１の動作を停止させる。
【０１３４】
また、本実施形態では、図１３に示されるように、第２温湿度情報から求めた第２不快指数が、第２下限値を下回る場合に、空調機３２、３３、３４を動作（稼動）させ、第２上限値を超える場合に空調機３２、３３、３４の動作を停止させる。
【０１３５】
したがって、本実施形態では、第１温湿度情報から求めた第１不快指数が、第１上限値を超えた後は、第１下限値を下回るまでの期間（図１３のＴ１参照）、空調機３１の動作を停止させる（図１４のステップＳ２０６、Ｓ２０８、Ｓ２１６、Ｓ２１８参照）。同様に、第２温湿度情報から求めた第２不快指数が、第２上限値を超えた後は、第２下限値を下回るまでの期間（図１３のＴ１参照）、空調機３２、３３、３４の動作を停止させる（図１５のステップＳ２０６、Ｓ２０８、Ｓ２１６、Ｓ２１８参照）。
【０１３６】
このため、第１不快指数及び第２不快指数が、予め定められた単一の閾値に近づくように、第１不快指数及び第２不快指数が単一の閾値と一致する場合以外において空調機３１〜３４の出力を調整し続ける構成に比べ、空調機３１〜３４の動作時間をそれぞれ低減でき、空調機３１〜３４のそれぞれについて省エネルギー化を図ることができる。
【０１３７】
また、本実施形態では、前述のように、第１上限値よりも低い第２上限値、及び、第１下限値よりも低い第２下限値を用いて、空調機３２、３３、３４の動作を制御する。このため、空調機３２、３３、３４を含む空調機３１〜３４において、第１上限値及び第１下限値を用いて動作を制御する構成に比べ、空調機３２、３３、３４の動作時間を低減でき、省エネルギー化を図ることができる。
【０１３８】
また、本実施形態では、第２上限値よりも高い第１上限値、及び、第２下限値よりも高い第１下限値を用いて、居室６１に配置された空調機３１を制御するので、居室６１では、廊下６２、６３、６４に比べ、空調機の運転時間が長くなり、快適な空間にすることができる。
【０１３９】
一方、第１上限値よりも低い第２上限値、及び、第１下限値よりも低い第２下限値を用いて、廊下６２、６３、６４に配置された空調機３２、３３、３４を制御するので、廊下６２、６３、６４では、居室６１に比べ、空調機の運転時間が低減され、省エネルギー化を図ることができる。
【０１４０】
以上のように、本実施形態によれば、快適性を優先させたエリア（居室６１）と、省エネルギー性を優先させたエリア（廊下６２、６３、６４）と、を建物内に作り出すことができる。
【０１４１】
そして、廊下６２、６３、６４は、居室６１における人の滞在時間よりも、該滞在時間が短いエリアである。廊下６２、６３、６４を、省エネルギー性を優先させたエリアとしても、廊下６２、６３、６４において不快に感じることを抑制できる。
【０１４２】
また、本実施形態では、前述のように、温湿度センサ１２が配置された廊下６２とは、別の廊下６３、６４に配置された空調機３３、３４を、空調機３２と同様に制御する。すなわち、本実施形態では、温湿度センサ１２の検出結果を用いて複数の空調機を同様に制御する。このため、空調機毎に温湿度センサを設ける構成に比べ、設備コストを低減できる。
【０１４３】
（空調機３１〜３４の暖房運転における空調制御の変形例）
本実施形態では、温湿度情報から求めた不快指数が上限値を超える場合に、空調機３１〜３４の動作を停止していたが（ステップＳ２０６参照）、これに限られない。例えば、温湿度情報から求めた不快指数が上限値を超える場合に、空調機３１〜３４の出力を低下させる構成であってもよい。
【０１４４】
この構成においても、温湿度情報から求めた不快指数が、予め定められた単一の閾値に近づくように、該不快指数が単一の閾値と一致する場合以外において空調機３１〜３４の出力を調整し続ける構成に比べ、空調機３１〜３４の出力を低減でき、空調機３１〜３４の省エネルギー化を図ることができる。
【０１４５】
また、本実施形態では、第１上限値＞第２上限値、及び第１下限値＞第２下限値の両方を満たしていたが、これに限られない。例えば、第１上限値＞第２上限値且つ第１下限値≧第２下限値と、第１上限値≧第２上限値且つ第１下限値＞第２下限値と、の一方の条件を満たす構成であってもよい。
【０１４６】
この構成においても、第１上限値及び第１下限値の両方を用いて、空調機３２、３３、３４の動作を制御する構成に比べ、空調機３２、３３、３４の動作時間を低減でき、空調機３２、３３、３４の省エネルギー化を図ることができる。以上のように、本実施形態では、第１上限値＞第２上限値且つ第１下限値≧第２下限値と、第１上限値≧第２上限値且つ第１下限値＞第２下限値と、の一方の条件を満たしていればよい。
【０１４７】
また、本実施形態では、空調機３３、３４は、空調機３２と同様に制御されていたが、これに限られない。空調機３３、３４を、空調機３１と同様に制御する構成であってもよい。
【０１４８】
また、本実施形態では、空調システム１０において暖房運転を行う場合に、図１３、図１４及び図１５に示される空調制御処理を適用していたが、これに限られない。例えば、空調システム１０において加湿運転を行う場合に、前述の空調制御処理を適用してもよい。
【０１４９】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１５０】
１０   空調システム
１１   温湿度センサ（第１温湿度センサの一例）
１２   温湿度センサ（第２温湿度センサの一例）
３１   空調機（第１空調機の一例）
３２   空調機（第２空調機の一例）
３３、３４    空調機（第３空調機の一例、第２空調機の一例）
５０   空調制御装置
６１   居室（第１エリアの一例、第１環境の一例）
６２   廊下（第２エリアの一例、第２環境の一例）
６３、６４    廊下（第３エリアの一例、第２環境の一例）
７２   取得部
７３   割出部
７４   制御部
【要約】
【課題】空調機の省エネルギー化を図る。
【解決手段】空調制御装置は、温度及び湿度に関する情報を取得する取得部と、前記取得部が取得した前記情報から求めた不快指数が、予め定められた不快指数の上限値を超える場合に空調機を動作させ、予め定められた不快指数の下限値を下回る場合に、前記空調機の動作を停止し又は前記空調機の出力を低下させる制御を行う制御部と、を備える。
【選択図】図５【図１】
0006745967.tif 000002
【図２】
0006745967.tif 000003
【図３】
0006745967.tif 000004
【図４】
0006745967.tif 000005
【図５】
0006745967.tif 000006
【図６】
0006745967.tif 000007
【図７】
0006745967.tif 000008
【図８】
0006745967.tif 000009
【図９】
0006745967.tif 000010
【図１０】
0006745967.tif 000011
【図１１】
0006745967.tif 000012
【図１２】
0006745967.tif 000013
【図１３】
0006745967.tif 000014
【図１４】
0006745967.tif 000015
【図１５】
0006745967.tif 000016